【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
制御基板を収容する基板ケースと、
前記基板ケースに貼り付けられたシールと、
前記シールを破損させることが可能な破損手段と、
を備えた遊技台であって、
前記基板ケースは、第一のカバー体を少なくとも含んで構成されたものであり、
前記基板ケースは、第二のカバー体を少なくとも含んで構成されたものであり、
前記制御基板が前記基板ケースに収容された状態において、前記第一のカバー体と前記第二のカバー体の両方の間には隙間が設けられるものであり、
前記シールは、前記第一のカバー体の外面の少なくとも一部を覆う第一の部位を含むものであり、
前記シールは、前記隙間の少なくとも一部を覆う第二の部位を含むものであり、
前記シールは、前記第二のカバー体の外面の少なくとも一部を覆う第三の部位を含むものであり、
前記破損手段は、前記第一のカバー体とは別体に構成されたものであり、
前記破損手段は、前記第二のカバー体とは別体に構成されたものであり、
前記破損手段は、前記シールを分断することが可能なものであり、
前記シールは、分断されることで、前記第一の部位を含む部位と前記第三の部位を含む部位の少なくとも二つに分離させることが可能なものである、
ことを特徴とする遊技台。
【請求項２】
請求項１に記載の遊技台であって、
前記破損手段のうちの少なくとも一部は、前記シールよりも前記基板ケースの内側に位置するものである、
ことを特徴とする遊技台。
【請求項３】
請求項１または請求項２に記載の遊技台において、
前記シールの少なくとも一部を覆う被覆手段を備え、
前記破損手段は、第一の位置から第二の位置に移動可能なものであり、
前記第二の位置は、前記第一の位置と異なる位置であり、
前記被覆手段は、前記破損手段とともに前記第一の位置から前記第二の位置に移動可能なものであり、
前記基板ケースは、前記被覆手段が前記第一の位置にある場合には、該被覆手段によって開封が阻止されるものであり、
前記基板ケースは、前記被覆手段が前記第二の位置にある場合には、開封が許容されるものであり、
前記破損手段は、前記被覆手段の前記第一の位置から前記第二の位置への移動により、前記シールにおける前記第二の部位の少なくとも一部を破損させるものである、
ことを特徴とする遊技台。
【請求項４】
請求項１乃至３のいずれかに記載の遊技台であって、
前記遊技台は、ぱちんこ機である、
ことを特徴とする遊技台。
【請求項５】
請求項１乃至３のいずれかに記載の遊技台であって、
前記遊技台は、スロットマシンである、
ことを特徴とする遊技台。
【手続補正２】
【補正対象書類名】明細書
【補正対象項目名】０００５
【補正方法】変更
【補正の内容】
【０００５】
しかしながら、近年では、不正行為の手口がより巧妙になり、基板収納ケースの不正開放防止機構だけでは、遊技制御基板に対する不正行為の撲滅までには届かず、より効果的な、さらなる不正防止対策が求められてきている。このため、さらなる不正防止対策として従来技術の基板収納ケースにシールを貼付る試みがなされている。
【手続補正３】
【補正対象書類名】明細書
【補正対象項目名】０００６
【補正方法】変更
【補正の内容】
【０００６】
しかしながら、このシールを利用した不正防止対策だけでは不正行為が懸念されるという問題があった。
【手続補正４】
【補正対象書類名】明細書
【補正対象項目名】０００８
【補正方法】変更
【補正の内容】
【０００８】
本発明は、制御基板を収容する基板ケースと、前記基板ケースに貼り付けられたシールと、前記シールを破損させることが可能な破損手段と、を備えた遊技台であって、前記基板ケースは、第一のカバー体を少なくとも含んで構成されたものであり、前記基板ケースは、第二のカバー体を少なくとも含んで構成されたものであり、前記制御基板が前記基板ケースに収容された状態において、前記第一のカバー体と前記第二のカバー体の両方の間には隙間が設けられるものであり、前記シールは、前記第一のカバー体の外面の少なくとも一部を覆う第一の部位を含むものであり、前記シールは、前記隙間の少なくとも一部を覆う第二の部位を含むものであり、前記シールは、前記第二のカバー体の外面の少なくとも一部を覆う第三の部位を含むものであり、前記破損手段は、前記第一のカバー体とは別体に構成されたものであり、前記破損手段は、前記第二のカバー体とは別体に構成されたものであり、前記破損手段は、前記シールを分断することが可能なものであり、前記シールは、分断されることで、前記第一の部位を含む部位と前記第三の部位を含む部位の少なくとも二つに分離させることが可能なものである、ことを特徴とする遊技台である。
【手続補正５】
【補正対象書類名】明細書
【補正対象項目名】０１９３
【補正方法】変更
【補正の内容】
【０１９３】
以上説明したように、上記実施形態に係るパチンコ機は、制御基板を収容する基板ケース（例えば、図１５（ａ）に示す主基板ケース１５８）と、前記基板ケースに貼り付けられたシール（例えば、図１５（ｂ）に示すＩＣタグシール７１６）と、前記シールを破損させることが可能な破損手段（例えば、図１５（ｂ）に示すＩＣタグシールカッター７２０ｄ）と、を備えた遊技台であって、前記基板ケースは、第一のカバー体（例えば、図１５（ａ）に示す基板収納体７０２）を少なくとも含んで構成されたものであり、前記基板ケースは、第二のカバー体（例えば、図１５（ａ）に示す蓋体７０４）を少なくとも含んで構成されたものであり、前記制御基板が前記基板ケースに収容された状態において、前記第一のカバー体と前記第二のカバー体の両方の間には隙間が設けられるものであり、前記シールは、前記第一のカバー体の外面の少なくとも一部を覆う第一の部位を含むものであり、前記シールは、前記隙間の少なくとも一部を覆う第二の部位を含むものであり、前記シールは、前記第二のカバー体の外面の少なくとも一部を覆う第三の部位を含むものであり、前記破損手段は、前記第一のカバー体とは別体に構成されたものであり、前記破損手段は、前記第二のカバー体とは別体に構成されたものであり、前記破損手段は、前記シールを分断することが可能なものであり、前記シールは、分断されることで、前記第一の部位を含む部位と前記第三の部位を含む部位の少なくとも二つに分離させることが可能なものである、ことを特徴とする遊技台である。
また、上記実施形態に係る遊技台（例えば、パチンコ機１００）は、制御基板を収容する基板ケース（例えば、図１５（ａ）に示す主基板ケース１５８）と、前記基板ケースに貼り付けられたシール（例えば、図１５（ｂ）に示すＩＣタグシール７１６）と、前記シールを破損させることが可能な破損手段（例えば、図１５（ｂ）に示すＩＣタグシールカッター７２０ｄ）と、を備えた遊技台であって、前記基板ケースは、第一のカバー体（例えば、図１５（ａ）に示す基板収納体７０２）を少なくとも含んで構成されたものであり、前記基板ケースは、第二のカバー体（例えば、図１５（ａ）に示す蓋体７０４）を少なくとも含んで構成されたものであり、前記制御基板が前記基板ケースに収容された状態において、前記第一のカバー体と前記第二のカバー体の両方の間には隙間が設けられるものであり、前記シールは、前記第一のカバー体の外面の少なくとも一部を覆う第一の部位を含むものであり、前記シールは、前記隙間の少なくとも一部を覆う第二の部位を含むものであり、前記シールは、前記第二のカバー体の外面の少なくとも一部を覆う第三の部位を含むものであり、前記シールには、文字情報（例えば、図７（ａ）に示す、管理番号を表す文字情報７１７ｃ）が表示されているものであり、前記破損手段は、前記第一のカバー体とは別体に構成されたものであり、前記破損手段は、前記第二のカバー体とは別体に構成されたものであり、前記破損手段は、前記シールの前記第二の部位を分断することが可能なものであり、前記シールは、前記第二の部位が分断されることで、前記第一の部位を含む部位と前記第三の部位を含む部位の少なくとも二つに分離させることが可能なものであり、前記シールは、前記第二の部位が分断されることで、前記文字情報が表示された部位の少なくとも一部が破損するものである、ことを特徴とする遊技台である。
上記実施形態に係る遊技台によれば、破損手段によって、シールを、第一のカバー体に残存する部位と、第二のカバー体に残存する部位の少なくとも二つに分離することができるため、シールの破損後は、（シールによって開放が妨げられていた）基板ケースを容易に開放することができ、基板ケースに収容された制御基板の確認作業などを容易かつ迅速に行うことができる場合がある。
また、前記破損手段のうちの少なくとも一部は、前記シールよりも前記基板ケースの内側に位置するものであってもよい。
また、前記シールの少なくとも一部を覆う被覆手段（例えば、図１５（ｂ）に示すＩＣタグシールカバー７２０）を備え、前記破損手段は、第一の位置から第二の位置に移動可能なものであり、前記第二の位置は、前記第一の位置と異なる位置であり、前記被覆手段は、前記破損手段とともに前記第一の位置から前記第二の位置に移動可能なものであり、前記基板ケースは、前記被覆手段が前記第一の位置にある場合には、該被覆手段によって開封が阻止されるものであり、前記基板ケースは、前記被覆手段が前記第二の位置にある場合には、開封が許容されるものであり、前記破損手段は、前記被覆手段の前記第一の位置から前記第二の位置への移動により、前記シールにおける前記第二の部位の少なくとも一部を破損させるものであってもよい。
また、上記実施形態に係るパチンコ機は、所定の当否判定条件が成立した場合（例えば、遊技球が始動領域（例えば、普図始動口２２８、第１特図始動口２３０、第２特図始動口２３２）に進入した場合）に当否判定（例えば、特図当否抽選、大当り種別抽選、普図当否抽選）を行なう当否判定手段（例えば、特図関連抽選処理、普図関連抽選処理）と、前記当否判定の結果が特定の当否判定結果（例えば、大当り、当り）である場合に、遊技者に対する有利度が第一の有利度（例えば、可変入賞口２３４が閉鎖中であり遊技球が入賞口に入り難い状態）である第一の制御状態（例えば、通常状態）から該第一の有利度と有利度が異なる第二の有利度である第二の制御状態（例えば、可変入賞口２３４が開放中の状態や、可変入賞口２３４が開放と閉鎖を繰り返す状態、電サポ状態など）に制御状態（例えば、ＲＡＭ３０８に設けた制御状態格納領域に記憶している情報）を移行させる制御状態移行手段（例えば、主制御部３００の基本回路３０２、特図状態更新処理、ＲＡＭ３０８に設けた制御状態格納領域に記憶している情報を更新する処理など）と、を備えた遊技台であって、所定の識別情報（例えば、管理番号を表すバーコード７１８ａ、管理番号を表すＱＲコード（登録商標）７１８ｂ、管理番号を表す文字情報７１８ｃ、模様、線、文字、ＩＣタグのメモリに書き込まれた識別番号等の遊技台固有の情報など）を有する報知手段（例えば、ＩＣタグシール７１６、７１７、７１８）と、前記報知手段を設置するための設置部（例えば、ＩＣタグシール設置部７１０、７３２、７４２など）と、前記報知手段を破損させるための破損手段（例えば、ＩＣタグシールカッター７２０ｄ、破断部８５４、シールカバー部材９５０、突出部材１０６４、干渉部材１２３３など）と、を備え、前記報知手段は、前記設置部に支持される第一の領域（例えば、ＩＣタグシール設置部７１０の設置領域に貼り付けられる領域）と、前記設置部に支持されない第二の領域（例えば、ＩＣタグシール設置部７１０の設置領域に貼り付けられない領域）と、を有し、前記破損手段は、前記報知手段および前記破損手段の少なくとも一方の移動に伴って、前記報知手段における前記第二の領域の少なくとも一部を破損させることを特徴とする遊技台である。なお、本発明における「破損」とは、報知手段が有する識別情報の少なくとも一部を識別不能にすること、あるいは、無機能化することをいい、報知手段を物理的に破損させること（例えば、切断、破壊など）のみならず、例えば、報知手段に強い磁力を与えることによってＩＣタグが有するメモリの情報を消去すること、報知手段に熱を加えてＩＣタグのアンテナを溶かすことなども含まれる。
【手続補正６】
【補正対象書類名】明細書
【補正対象項目名】０１９４
【補正方法】変更
【補正の内容】
【０１９４】
近年では、不正行為の手口がより巧妙になり、基板収納ケースの不正開放防止機構だけでは、遊技制御基板に対する不正行為の撲滅までには届かず、より効果的な、さらなる不正防止対策が求められてきている。このため、さらなる不正防止対策として従来技術の基板収納ケースに遊技台固有の識別情報を記憶したＩＣタグシール（ＩＤ読取器に所定の情報（例えば遊技台固有の識別情報）を報知する報知手段の一例）を貼付し、ＩＣタグシールの識別情報を専用のＩＤ読取器にて読取り、遊技制御基板（基板収納ケース含む）が正規の基板か、または不正に交換された基板かを識別して、遊技台に取り付けられた遊技制御基板の管理を行う試みがなされている。
しかしながら、このＩＣタグシールを利用した不正防止対策については、基板収納ケースに貼付されたＩＣタグシールを生かした状態での不正行為が懸念されるという問題があった。
上記実施形態に係るパチンコ機１００によれば、破損手段によって報知手段を確実に破損させることができ、不正者による報知手段の再利用を確実に防止することができる場合がある。また、設置部に支持されていない第二の領域を破損するように構成しているため、破損手段による破損が容易で、報知手段を確実に破損させることができる場合がある。